(57)【特許請求の範囲】
【請求項１】
遊技球が打ち込まれる遊技領域を備えた本体部材と、
前記遊技領域の所定箇所が視認可能な視認用開口部を有し、前記本体部材に対して開閉可能な扉部材と、
正面視で前記遊技領域を覆う大きさの透明部材と、前記透明部材が固着される内装用開口部を有する枠状のフレームとを備えた、前記視認用開口部を塞ぐ状態に配設されるユニット部材と、
を備え、
前記扉部材は、その裏面側における前記視認用開口部の外周箇所に形成された窪み部を有し、
前記窪み部は、前記フレームが取り付けられた状態において、前記視認用開口部の下側にて前記フレームの外周箇所と接触する内周壁部と、前記フレームの当該窪み部側箇所が当接する奥面と、前記内周壁部に連接され且つ当該内周壁部の外側に向かって延出する延出部と、を備えている
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として外枠に対して開閉可能に支持される内枠と、この内枠の略中央に形成された開口に遊技領域が位置するように取り付けられる遊技盤と、この内枠の正面視での左端側を開閉軸として内枠に対して開閉可能に支持され、遊技領域を視認するための視認窓を有する前面扉（扉部材）とを備えている。
【０００３】
また、この視認窓は、遊技領域に対応した大きさで前面扉に形成された開口部と、前面扉の裏面側（遊技盤と対向する面側）でその開口部を覆うように設けられた透明部材（例えばガラス）とで構成されている（例えば、特許文献１参照）。
【先行技術文献】
【特許文献】
【０００４】
【特許文献１】特開２００３−１３５７８８号公報（第３−４頁，第２図）
【発明の概要】
【発明が解決しようとする課題】
【０００５】
しかしながら、このような構成を有する従来例の場合には、次のような問題がある。
【０００６】
すなわち、従来のパチンコ機では、例えば、前述の視認部（具体的には開口部とガラスとの間）にピアノ線などの不正部材を進入させて遊技領域の入賞部品などが不正に操作されるおそれがある。
【０００７】
本発明は、このような事情に鑑みてなされたものであって、不正行為を低減できる扉部材を備えた遊技機を提供することを目的とする。
【課題を解決するための手段】
【０００８】
この発明は、このような目的を達成するために、次のような構成をとる。
【０００９】
すなわち、請求項１に記載の発明は、
遊技球が打ち込まれる遊技領域を備えた本体部材と、
前記遊技領域の所定箇所が視認可能な視認用開口部を有し、前記本体部材に対して開閉可能な扉部材と、
正面視で前記遊技領域を覆う大きさの透明部材と、前記透明部材が固着される内装用開口部を有する枠状のフレームとを備えた、前記視認用開口部を塞ぐ状態に配設されるユニット部材と、
を備え、
前記扉部材は、その裏面側における前記視認用開口部の外周箇所に形成された窪み部を有し、
前記窪み部は、前記フレームが取り付けられた状態において、前記視認用開口部の下側にて前記フレームの外周箇所と接触する内周壁部と、前記フレームの当該窪み部側箇所が当接する奥面と、前記内周壁部に連接され且つ当該内周壁部の外側に向かって延出する延出壁部と、を備えている
ことを特徴とするものである。
【発明の効果】
【００１０】
この発明に係る遊技機によれば、不正行為を低減できる扉部材を備えた遊技機を提供することができる。
【図面の簡単な説明】
【００１１】
【図１】本発明の実施例のパチンコ機の概略正面図である。
【図２】遊技盤の構成を示す正面図である。
【図３】パチンコ機の構成を示す背面図である。
【図４】パチンコ機の電気的構成を示すブロック図である。
【図５】第３図柄表示装置の表示内容を示す説明図である。
【図６】実施例１の前面枠セットの裏面図である。
【図７】前面枠セットを前後方向に二分した場合の分解斜視図である。
【図８】裏面枠体の前面図である。
【図９】裏面枠体を前面側の右上から見た斜視図である。
【図１０】裏面枠体から発光部を取り外した状態を示す分解斜視図である。
【図１１】ガラスユニットの付いた状態でのガラス枠ベースの裏面左上から見た斜視図である。
【図１２】ガラスユニットの付いた状態でのガラス枠ベースの裏面右上から見た斜視図である。
【図１３】ガラス枠ベースを前面側の右上から見た斜視図である。
【図１４】図１３のガラス枠ベースから上部金具，下部金具を取り外した状態を示す分解斜視図である。
【図１５】図１４の上部金具，下部金具を取り外し後のガラス枠ベースを前面右上から見た斜視図である。
【図１６】図１５のガラス枠ベースから板金を取り外した状態を示す分解斜視図である。
【図１７】板金の斜視図である。
【図１８】内枠に対して閉状態とした裏面枠体の前面図である。
【図１９】図１８に示すＡ−Ａ線箇所の断面図である。
【図２０】ガラス枠ベースとガラスユニットを裏面左上から見た斜視図である。
【図２１】ガラス枠ベースとガラスユニットを裏面右上から見た斜視図である。
【図２２】ガラスユニットを取り外した状態のガラス枠ベースの裏面図である。
【図２３】（ａ）〜（ｅ）は、その順に、ガラスフレームの上面図、左側面図、前面図、右側面図、下面図である。
【図２４】ガラスフレームの前面左上からみた斜視図である。
【図２５】ガラスフレームの前面右上からみた斜視図である。
【図２６】ガラスフレームの裏面左上からみた斜視図である。
【図２７】ガラスフレームの裏面右上からみた斜視図である。
【図２８】ガラスフレームの裏面図である。
【図２９】ガラスユニットの分解斜視図である。
【図３０】前面枠セットでのガラス枠ベースの窪み部の箇所の断面図である。
【発明を実施するための形態】
【００１２】
本明細書は、次のような遊技機に係る発明も開示している。
【００１３】
すなわち、従来のパチンコ機では、例えば、前述の視認部（具体的には開口部とガラスとの間）にピアノ線などの不正部材を進入させて遊技領域の入賞部品などが不正に操作されるおそれがあるので、視認窓を正面視した状態で開口部に対してガラスを十分に大きくしていく（つまり、開口部に対するガラスの重なり代を十分に大きくしていく）方がより不正部材を進入させ難くできるのであるが、ガラスを大きくすることで重量増加を招来し、重量増加に伴う作業性、運搬性等の低下が問題となる。
さらに、近年では、遊技の興趣性向上のために、遊技盤の遊技領域中の図柄表示装置が大型化してきており、それに伴って遊技領域も拡張され、当然に視認窓も大型化するため、ガラスの重量増加に伴う上記の問題はより深刻になりつつある。
だからと言って、開口部に対するガラスの重なり代を最小限に止めるようにガラスを小さくすると、その重量は軽くなるが、ピアノ線などの不正部材の進入させ易くなり、防犯性が低下し、不正行為を低減できない。
以下の発明は、このような事情に鑑みてなされたものであって、透明部材の重量増加を抑止しつつ不正行為を低減できる扉部材を備えた遊技機を提供することを目的とする。
【００１４】
この発明は、このような目的を達成するために、次のような構成をとる。
すなわち、前記（０）に記載の発明は、
遊技球が打ち込まれる遊技領域を有する遊技盤を備えた本体部材と、前記遊技盤の前面側に設けられて前記本体部材に対して開閉自在な扉部材とを備えた遊技機において、
前記扉部材は、
前記遊技盤の遊技領域の前面を覆う透明部材と、
前記透明部材の外周箇所を内接させるようにして当該透明部材が固着される内装用開口部を有する枠状のフレームと
を備え、
さらに、前記扉部材は、正面視でその所定箇所に、前記遊技盤の遊技領域を視認するための視認用開口部が形成され、裏面視で前記視認用開口部を含む大きさの取付面に窪み部が形成されており、
前記窪み部は、前記フレームの外周箇所を内接させるようにして当該フレームが取着されるものであり、かつ、その取着された前記フレームの当該窪み部側箇所がその奥面に当接または近接する
ことを特徴とする遊技機。
【００１５】
前記（０）に記載の発明によれば、本体部材は、遊技球が打ち込まれる遊技領域を有する遊技盤を備えている。本体部材の前面側には扉部材が設けられている。扉部材は、遊技盤の前面側で本体部材に対して開閉自在となっている。扉部材は、遊技盤の遊技領域の前面を覆う透明部材とこの透明部材が固着される枠状のフレームとを備えている。透明部材は、その外周箇所が枠状のフレームの内装用開口部に内接させるようにして固着される。さらに、扉部材は、正面視でその所定箇所に、遊技盤の遊技領域を視認するための視認用開口部が形成され、裏面視で視認用開口部を含む大きさの取付面に窪み部が形成されている。窪み部は、フレームの外周箇所を内接させるようにして当該フレームが取着され、かつ、その取着されたフレームの当該窪み部側箇所がその奥面に当接または近接している。
【００１６】
したがって、扉部材は、透明部材が固着されたフレームを窪み部に内接させて取着しているので、フレームの外周と窪み部との間に隙間が無く、しかも、取着されたフレームの窪み部側箇所がその窪み部の奥面に当接または近接しているので、フレームの窪み部側箇所とその窪み部の奥面との間に隙間が無く、扉部材の視認用開口部（具体的には視認用開口部と透明部材との間）にピアノ線などの不正部材を進入させることができないようにでき、遊技領域の入賞部品などが不正に操作されることを低減できる。また、窪み部は窪んだ形状となっているから剛性を高めることができる。
さらに、扉部材の窪み部におけるフレーム外周と取着する箇所（以下、適宜に「第１箇所」と呼ぶ）を熱で溶かして透明部材面方向に不正な貫通孔を形成しようとしても、まず、フレームの窪み部側箇所（以下、適宜に「第２箇所」と呼ぶ）を熱溶解させなければ前記第１箇所に到達できないので、この第２箇所の熱溶解やそれを不正に修復したことを発見できるので不正を容易に発見できるし、窪み部は、その窪み形状からわかるように、薄壁状部材のような厚みの薄いものではなく、フレームの外周から放射方向に向かっての厚みが大きく形成されており、その窪み壁の厚みは前記薄壁状部材と比べて厚くなっている（極端に言えば、扉部材の視認用開口部からその外側までの長さが、窪み部の窪み壁の厚みと言える）ことから、その窪み壁を溶かして透明部材面方向に不正な貫通孔を形成することも困難であり、不正抑止効果が高い。
このことから、扉部材を正面視した状態で視認用開口部に対して透明部材を十分に大きくしていく（つまり、視認用開口部に対する透明部材の重なり代を十分に大きくしていく）必要はなく、透明部材の重量増加を低減でき、重量増加に伴う作業性、運搬性等の低下の問題を低減できる。
その結果、透明部材の重量増加を抑止しつつ不正行為を低減できる扉部材を備えた遊技機を提供することができる。
【００１７】
（１）  前記（０）に記載の遊技機において、
前記扉部材は、その裏面側の所定箇所に、前記フレームが着脱自在で、かつ、前記フレームを前記窪み部に取着させた第１状態と、前記フレームを前記窪み部から離れた第２状態とに変位可能に当該フレームを支持する支持部を備えている
ことを特徴とする遊技機。
【００１８】
前記（１）に記載の発明によれば、扉部材の裏面側の所定箇所に設けられた支持部は、フレームが着脱自在で、かつ、フレームを窪み部に取着させた第１状態と、フレームを窪み部から離れた第２状態とに変位可能にフレームを支持する。つまり、装着の際には、透明部材が内装されたフレームを扉部材の支持部に取り付けることで、その透明部材付きフレームが扉部材の支持部で支持された状態となり、その支持状態のままで、フレームを窪み部に取着させた第１状態に移行できる。また、抜脱の際には、フレームを窪み部に取着させた第１状態から、フレームを窪み部から離れた第２状態に変位でき、しかもこれらの状態が扉部材に支持された状態のままであり、第２状態のフレームを支持部から取り外すことができる。したがって、透明部材の交換作業などを容易にかつ安全に行うことができる。
【００１９】
（２）  前記（０）に記載の遊技機、または、前記（１）に記載の遊技機において、
前記窪み部は、前記透明部材との重なり代を、前記扉部材の裏面視で前記視認用開口部の下側の方が前記視認用開口部の上側および左右側よりも大きくした形状となっている
ことを特徴とする遊技機。
【００２０】
前記（２）に記載の発明によれば、窪み部は、透明部材との重なり代を、扉部材の裏面視で視認用開口部の下側の方が視認用開口部の上側および左右側よりも大きくした形状となっている。したがって、扉部材の正面視で視認用開口部の下側は、視認用開口部の上側および左右側に比べて不正が行われ易い箇所であり、視認用開口部の下側の重なり代を大きくすることで、透明部材の重量はその箇所分だけ増加してしまうが、重なり代が大きいことでさらに不正抑止効果が高まる。
【００２１】
なお、視認用開口部の上側（あるいは左側または右側）においての、フレームを扉部材に固定するための固定部により生じる部分は、視認用開口部の上側および左右側の重なり代に含まない。
【００２２】
（３）  前記（０）に記載の遊技機、または、前記（１）または（２）に記載の遊技機において、
前記扉部材は、前記本体部材と対向する面とは反対側の面である前面側に位置する前面側部材と、前記本体部材と対向する面である裏面側に位置する裏面側部材とを備え、
前記前面側部材および前記裏面側部材は、前記視認用開口部を備え、
前記窪み部は、前記裏面側部材での前記本体部材と対向する側に形成されており、前記裏面側部材の裏面側から前面側に向けて突出した突出壁と、前記突出壁の先端部から前記視認用開口部側に延出させた延出部とを備えたものであり、前記延出部で仕切られた空間に前記視認用開口部を形成している
ことを特徴とする遊技機。
【００２３】
前記（３）に記載の発明によれば、扉部材は、本体部材と対向する面とは反対側の面である前面側に位置する前面側部材と、本体部材と対向する面である裏面側に位置する裏面側部材とを備えている。前面側部材および裏面側部材は、視認用開口部を備えている。窪み部は、裏面側部材での本体部材と対向する側に形成されており、裏面側部材の裏面側から前面側に向けて突出した突出壁と、この突出壁の先端部から視認用開口部側に延出させた延出部とを備えたものであり、延出部で仕切られた空間に視認用開口部を形成している。したがって、扉部材の裏面側部材に形成された窪み部により、フレームの外周と窪み部との間に隙間が無く、しかも、フレームの窪み部側箇所とその窪み部の奥面との間も隙間が無く、扉部材の視認用開口部（具体的には視認用開口部と透明部材との間）にピアノ線などの不正部材を進入させることができないようにでき、遊技領域の入賞部品などが不正に操作されることを低減できる。
【００２４】
さらに、扉部材の窪み部におけるフレーム外周と取着する箇所たる突出壁を熱で溶かして透明部材面方向に不正な貫通孔を形成しようとしても、まず、フレームの窪み部側箇所たる延出部を熱溶解させなければ窪み部の突出壁に到達できないので、この延出部の熱溶解やそれを不正に修復したことを発見できるので不正を容易に発見できるし、窪み部は、その窪み形状からわかるように断面視で略Ｌ字形状となっており、その突出壁を溶かして透明部材面方向に不正な貫通孔を形成したとしても未だ扉部材の裏面側に達しておらず、遊技領域の入賞部品などが不正に操作されることもないし、不正抑止効果が高い。
【００２５】
さらに、扉部材は正面視で前後方向に前面側部材と裏面側部材とに分けられ、裏面側部材によって前述した不正抑止効果があり、前面側部材は専ら意匠性に優れた形状等とすることができ、不正行為低減のためにその意匠性などが制限されるという問題も生じない。
【００２６】
（４）  前記（３）に記載の遊技機において、
前記フレームは、前記内装用開口部の一方の開口側および他方の開口側に前記透明部材がそれぞれ固着されるものであり、前記両透明部材が所定の間隔を空けて配設される二重透明部材構造となるように前記内装用開口部から突出した部分であって前記両透明部材間に挟まれる介装部を備えている
ことを特徴とする遊技機。
【００２７】
前記（４）に記載の発明によれば、フレームは、内装用開口部の一方の開口側および他方の開口側に透明部材がそれぞれ固着されるものであり、両透明部材が所定の間隔を空けて配設される二重透明部材構造となるように内装用開口部から突出した部分であって両透明部材間に挟まれる介装部を備えている。したがって、このような二重透明部材構造の扉部材では以下に説明するようにさらに不正抑止効果がある。つまり、透明部材が前後に二枚並べられ、かつ、内装用開口部の介装部を両透明部材で挟んだ状態とした二重透明部材構造となっているので、透明部材の外周とフレームの内装用開口部とが固着され、透明部材の外周とフレームの内装用開口部との間に隙間が無く、透明部材の外周とフレームの内装用開口部との間にピアノ線などの不正部材を進入させることができないようにでき、しかも、透明部材付きのフレームを正面視した場合での、透明部材の外周とフレームの内装用開口部との境界部分には、両透明部材間に挟まれた介装部が位置しており、この介装部が邪魔になってそれ以上不正部材を進入させることができないし、遊技領域の入賞部品などが不正に操作されることを低減できる。
【００２８】
（５）  前記（４）に記載の遊技機において、
前記裏面側部材は、正面視で前記視認用開口部以外の箇所に貫通孔を備え、かつ、前記窪み部のうちで前記貫通孔に近い箇所を前記貫通孔の方に領域拡張した拡張窪み部を備えており、
前記フレームは、前記拡張窪み部付きの前記窪み部に対応した形状としており、前記拡張窪み部に対応する箇所に、前記両透明部材間を除湿するための乾燥剤を収納する乾燥剤入れ部を備えている
ことを特徴とする遊技機。
【００２９】
前記（５）に記載の発明によれば、裏面側部材は、正面視で視認用開口部以外の箇所に貫通孔を備えている。さらに、この裏面側部材は、その窪み部のうちで貫通孔に近い箇所を貫通孔の方に領域拡張した拡張窪み部を備えている。フレームは、拡張窪み部付きの窪み部に対応した形状としており、拡張窪み部に対応する箇所に、両透明部材間を除湿するための乾燥剤を収納する乾燥剤入れ部を備えている。したがって、扉部材の視認用開口部から不正部材を進入させることは前述の前記（０）等と同様に困難とすることができ、扉部材の視認用開口部とこの扉部材の裏面側部材の貫通孔との間に設けられた乾燥剤入れ部が不正部材の進入を妨げるので、裏面側部材の貫通孔への進入を低減できる。つまり、扉部材の視認用開口部から不正部材を進入させ、かつ、この扉部材における裏面側部材の貫通孔に進入させる不正行為を低減できる。すなわち、裏面側部材の貫通孔を悪用（狙った）した不正部材の進入を低減できる。
【００３０】
なお、前記の貫通孔としては、払出装置からの遊技球を扉部材の裏面側から前面側の上皿に排出する排出口や、遊技球を投入するための投入口や、スピーカ用の孔などが挙げられる。
【００３１】
（６）  前記（４）または（５）に記載の遊技機において、
前記前面側部材および前記裏面側部材は不透明なものであり、
前記扉部材は、前記前面側部材と前記裏面側部材との間に、前記前面側部材と前記裏面側部材とは異なる材質で形成された補強部材を挟んで構成されている
ことを特徴とする遊技機。
【００３２】
［作用・効果］前記（０）に記載の発明によれば、扉部材は、不透明な前面側部材と不透明な裏面側部材との間に、前面側部材と裏面側部材とは異なる材質で形成された補強部材を挟んで構成されているので、扉部材を前面視したとしてもその前面側部材が不透明なものであることから、扉部材における補強部材の配置箇所をわからないようにできるし、たとえ扉部材を開けて裏面視したとしても、裏面側部材が不透明なものであるため、扉部材における補強部材の配置箇所をわからないようにできる。つまり、扉部材での補強部材の有無、補強部材を避けた位置やその有無についてもわからないようにできる。したがって、補強部材を避けた位置に孔を空けることを困難とすることができ、扉部材を介しての不正行為を低減できる。
【００３３】
なお、本明細書でいう「補強部材による補強」とは、前面側部材および裏面側部材の性質を補うという意味を含む。例えば、前面側部材および裏面側部材が樹脂成形品であれば、高温となる発熱工具（例えば、はんだごてなど）が押し当てられるなどするとその箇所が溶けてしまうことから、熱に対して弱い性質であるとの見方ができる。そこで、補強部材として熱に強い金属品（金属板、金属線のメッシュ構造品など）を採用することで、前面側部材および裏面側部材を耐熱性に関して補強することができる。なお、このような耐熱性補強とともに、扉部材（つまり前面側部材や裏面側部材）が曲げ力や引っ張り力などで変形することや自重変形を低減するという剛性（力に対する頑丈さ）を補う要素をあわせ持ったものであってもよい。
【００３４】
（７）  前記（６）に記載の遊技機において、
前記前面側部材および前記裏面側部材は、着色された材料で形成されている
ことを特徴とする遊技機。
【００３５】
前記（７）に記載の発明によれば、前面側部材および裏面側部材は、着色された材料で形成されており、不透明な部材となっている。したがって、扉部材における補強部材の配置箇所をわからないようにでき、扉部材を介しての不正行為を低減できる。
【００３６】
（８）  前記（６）に記載の遊技機において、
前記前面側部材は、その前面側が少なくとも着色されたものであり、
前記裏面側部材は、その裏面側が少なくとも着色されたものである
ことを特徴とする遊技機。
【００３７】
前記（８）に記載の発明によれば、前面側部材は、その前面側がが少なくとも着色されたものとし、裏面側部材は、その裏面側が少なくとも着色されたものとしており、不透明な部材となっている。したがって、扉部材における補強部材の配置箇所をわからないようにでき、扉部材を介しての不正行為を低減できる。
【００３８】
（９）  前記（６）に記載の遊技機において、
前記前面側部材は、その前面側に着色された部材を備え、前記裏面側部材は、その裏面側に着色された部材を備えている
ことを特徴とする遊技機。
【００３９】
前記（９）に記載の発明によれば、前面側部材は、その前面側に着色された部材を備え、裏面側部材は、その裏面側に着色された部材を備えており、不透明な部材となっている。したがって、扉部材における補強部材の配置箇所をわからないようにでき、扉部材を介しての不正行為を低減できる。
【００４０】
（１０）  前記（６）から（９）のいずれか一つに記載の遊技機において、
前記補強部材は、前記扉部材の正面視で当該扉部材のうちで前記視認用開口部を除く箇所で、かつ、前記視認用開口部の周囲に位置するように、前記前面側部材と前記裏面側部材との間に挟み込まれている
ことを特徴とする遊技機。
【００４１】
前記（１０）に記載の発明によれば、補強部材は、扉部材の正面視で当該扉部材のうちで視認用開口部を除く箇所で、かつ、視認用開口部の周囲に位置するように、前面側部材と裏面側部材との間に挟み込まれているので、扉部材の視認用開口部の周囲箇所のうちで補強部材を避けた位置やその有無についてもわからないようにでき、補強部材を避けた位置に孔を空けることを困難とすることができ、扉部材を介しての不正行為を低減できる。
【００４２】
（１１）  前記（１０）に記載の遊技機において、
前記補強部材は補強用の板金であることを特徴とする遊技機。
【００４３】
前記（１１）に記載の発明によれば、補強部材は、補強用の板金としているので、扉部材の剛性を確保できるのみならず、この板金を溶かして孔を空けることは困難であり、扉部材を介しての不正行為を低減できる。
【００４４】
（１２）  前記（１１）に記載の遊技機において、
前記補強部材は、複数個の補強用の板金からなり、
前記複数個の板金は、前記扉部材の正面視で当該扉部材のうちで前記視認用開口部を除く箇所で、かつ、前記視認用開口部の周囲にそれぞれ位置するように、前記前面側部材と前記裏面側部材との間に挟み込まれており、これら板金が電気的に接続されている
ことを特徴とする遊技機。
【００４５】
前記（１２）に記載の発明によれば、補強部材としての複数個の補強用の板金は、扉部材の正面視で当該扉部材のうちで視認用開口部を除く箇所で、かつ、視認用開口部の周囲にそれぞれ位置するように前面側部材と裏面側部材との間に挟み込まれているので、扉部材の剛性を確保できるのみならず、この板金を溶かして孔を空けることは困難であり、扉部材を介しての不正行為を低減できる。また、これら板金が電気的に接続されているので、いずれかの板金を接地することで、扉部材の全体にわたって接地させることができる。
【００４６】
（１３）  前記（１２）に記載の遊技機において、
前記複数個の補強用の板金は、前記扉部材の正面視で当該扉部材の上部に位置する補強用の上板金と、前記扉部材の正面視で当該扉部材の右部に位置する補強用の右板金と、前記扉部材の正面視で当該扉部材の下部に位置する補強用の下板金と、前記扉部材の正面視で当該扉部材の左部に位置する補強用の左板金であり、これら板金が電気的に接続されている
ことを特徴とする遊技機。
【００４７】
前記（１３）に記載の発明によれば、扉部材の上部には補強用の上板金を、扉部材の右部には補強用の右板金を、扉部材の下部には補強用の下板金を、扉部材の左部には補強用の左板金をそれぞれ備えており、これらの板金が前面側部材と裏面側部材との間に挟み込まれているので、扉部材の剛性を確保できるのみならず、この板金を溶かして孔を空けることは困難であり、扉部材を介しての不正行為を低減できる。また、これら板金が電気的に接続されているので、いずれかの板金に対して接地することで、扉部材の全体にわたって接地させることができる。
【００４８】
（１４）  前記（１１）から（１３）のいずれか一つに記載の遊技機において、
前記本体部材は、前記扉部材を開閉可能に軸支する導電性の軸支部を備え、
前記軸支部は、前記複数個の板金のうちの少なくとも一つと電気的に接続されるとともに接地されている
ことを特徴とする遊技機。
【００４９】
前記（１４）に記載の発明によれば、本体部材は、扉部材を開閉可能に軸支する導電性の軸支部を備え、本体部材の軸支部は、複数個の板金のうちの少なくとも一つと電気的に接続されるとともに接地されているので、扉部材の全体にわたって接地させることができる。
【００５０】
（１５）  前記（１１）から（１４）のいずれか一つに記載の遊技機において、
前記本体部材は、前記扉部材が当該本体部材に対して閉状態となると少なくとも一つの前記板金に接触して電気的に接続される接続部を備え、
前記接続部は接地されている
ことを特徴とする遊技機。
【００５１】
前記（１５）に記載の発明によれば、本体部材の接続部は、扉部材が当該本体部材に対して閉状態となると少なくとも一つの板金に接触して電気的に接続され、接続部は接地されているので、扉部材の全体にわたって接地させることができる。
【００５２】
（１６）  前記（１４）または（１５）に記載の遊技機において、
前記前面側部材は、発光手段と、前記発光手段により照らされる装飾部材とを備え、
前記補強部材は、前記装飾部材の裏面側でかつ前記裏面側部材の前面側に位置している
ことを特徴とする遊技機。
【００５３】
前記（１６）に記載の発明によれば、装飾部材（例えば金属製又は金属メッキを施した装飾部材など）に電荷が溜まることがあり、この電荷に起因して発生するノイズが扉部材から裏面側へ出射されることを導電性の補強部材により低減でき、本体部材の遊技盤の各種遊技部品や、ひいては、遊技内容を制御する制御基板に対し、悪影響をもたらすことを低減できる。
【００５４】
（１７）  前記（１４）から（１６）のいずれか一つに記載の遊技機において、
前記前面側部材は、発光手段と、前記発光手段により照らされ金属製又は金属メッキを施した装飾部材とを備え、
前記補強部材は前記装飾部材に電気的に接続されている
ことを特徴とする遊技機。
【００５５】
前記（１７）に記載の発明によれば、金属製又は金属メッキを施した装飾部材に電荷が溜まることがあり、この電荷がノイズなどを発生させる要因となり、扉部材に取り付けられる電気部品（例えば、装飾部材を照らすランプ基板など）、ひいては、遊技内容を制御する制御基板に対し、悪影響をもたらすことになるという問題に対して、補強部材は装飾部材に電気的に接続されているので、扉部材内の補強部材つまり前面側部材と裏面側部材とに挟まれた補強部材によって、装飾部材が接地されることになり、装飾部材に電荷が溜まることがない。その結果、扉部材に取り付けられる各種電気部品（例えば、装飾部材を照らすランプ基板など）や遊技内容を制御する制御基板に対して悪影響をもたらすことがなく、装飾部材がノイズなどの電気的不具合を生じさせることがない。
【００５６】
（１８）  前記（１１）から（１７）のいずれか一つに記載の遊技機において、
前記板金は、前記扉部材での前面側および裏面側を除く外周箇所である外周部でその扉部材の裏面の方に向かって折り曲げられた折り曲げ部を備えている
ことを特徴とする遊技機。
【００５７】
前記（１８）に記載の発明によれば、板金は、扉部材での前面側および裏面側を除く外周箇所である外周部（つまり、扉部材の外周側）でその扉部材の裏面の方に向かって折り曲げられた折り曲げ部を備えているので、扉部材の外周部に孔を空けることを困難とすることができ、扉部材を介しての不正行為を低減できる。
【００５８】
（１９）  前記（１８）に記載の遊技機において、
前記本体部材は、当該本体部材の正面視でその外端箇所に、前記扉部材の閉状態において当該扉部材の前記外周部の少なくとも前記本体部材に近い側が内接または近接する外壁部を備えている
ことを特徴とする遊技機。
【００５９】
前記（１９）に記載の発明によれば、本体部材は、当該本体部材の正面視でその外端箇所に、扉部材の閉状態において当該扉部材の外周部の少なくとも本体部材に近い側が内接または近接する外壁部を備えているので、扉部材の外周部で本体部材に近い側が本体部材の外壁部に内接または近接して閉じた状態となるので、扉部材と本体部材との隙間に細状部材を挿入して不正しようとしても、細状部材が本体部材の奥面に当たりそれ以上進まないかあるいは進み難いので、不正行為を低減できる。
【００６０】
（２０）  前記（１９）に記載の遊技機において、
前記折り曲げ部は、その先端が前記本体部材の方に向かって突出した突出部を備え、
前記本体部材は、前記外壁部の内側で、前記扉部材の閉状態において当該扉部材の前記折り曲げ部の前記突出部が入る凹部を備えている
ことを特徴とする遊技機。
【００６１】
前記（２０）に記載の発明によれば、折り曲げ部は、その先端が本体部材の方に向かって突出した突出部を備えている。本体部材は、外壁部の内側で、扉部材の閉状態において当該扉部材の折り曲げ部の突出部が入る凹部を備えているので、扉部材が本体部材に対して閉じた状態となると、扉部材の外周部で本体部材に近い側が本体部材の外壁部に内接または近接して閉じた状態となるだけでなく、折り曲げ部の先端である突出部が本体部材の凹部に入った状態となるので、扉部材と本体部材との隙間に細状部材を挿入して不正しようとしても、細状部材が本体部材の凹部に当たりそれ以上進まないかあるいは凹部から出難くそれ以上進み難いので、不正行為を低減できる。
【００６２】
（２１）  前記（０）に記載の遊技機、または、前記（１）から（２０）のいずれか一つに記載の遊技機において、
前記前面側部材と前記裏面側部材とは樹脂成形されたものとしていることを特徴とする遊技機。
【００６３】
前記（２１）に記載の発明によれば、前面側部材と裏面側部材とは樹脂成形されたものとしているので、前面側部材と裏面側部材とを容易に成形することができる。
【００６４】
（２２）  前記（０）に記載の遊技機、または、前記（１）から（２１）のいずれか一つに記載の遊技機において、
前記遊技機はパチンコ機であることを特徴とする遊技機。
【００６５】
前記（２２）に記載の遊技機によれば、透明部材の重量増加を抑止しつつ不正行為を低減できる扉部材を備えたパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００６６】
以下、パチンコ遊技機（以下、単に「パチンコ機」という）の各種の実施の形態を、図面に基づいて詳細に説明する。
【実施例１】
【００６７】
実施例１のパチンコ機を、図面に基づいて詳細に説明する。図１はパチンコ機１０の正面図であり、図２は、パチンコ機１０の遊技盤３０の正面図であり、図３は、パチンコ機１０の裏面図である。図４は、パチンコ機１０の電気的構成を示すブロック図である。図５は、第３図柄表示装置４２の表示内容を示す説明図である。図６は、実施例１の前面枠セット１４の裏面図である。図７は前面枠セット１４を前後方向に二分した場合の分解斜視図である。
【００６８】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００６９】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００７０】
図１に示すように、内枠１２は、大別すると、その外形を形成する主要部材としての樹脂ベース（図示省略）と、この樹脂ベースの前面側で片開き自在な前面枠セット１４と、樹脂ベース（図示省略）に取り付けられる遊技盤３０（図２参照）とを備えている。
【００７１】
具体的には、樹脂ベース（図示省略）は、正面視で、その外形が略矩形状で、かつ、その略中央箇所を開口中心とする開口部（後述する遊技領域３０ａ（図２参照）と同等の大きさの開口）が形成された板状部材としている。
【００７２】
前面枠セット１４は、正面視左側で上下方向の開閉軸を軸心にして当該内枠１２に対して開閉自在に取り付けられている。言い換えれば、前面枠セット１４は、樹脂ベース（図示省略）に対して開閉自在となっている。
【００７３】
遊技盤３０（図２参照）は、その遊技領域３０ａを樹脂ベース（図示省略）の開口部に位置させるようにして当該樹脂ベースに着脱自在に取り付けられる。
【００７４】
ここで、もう少し詳細に前面枠セット１４について説明する。
【００７５】
前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。また、前面枠セット１４は、図６に示すように、その裏面側に、後述するガラスユニット４８０が取り付けられている。
【００７６】
前面枠セット１４は、図７に示すように、前面枠体４１０と裏面枠体４３０とに大別される。裏面枠体４３０は、ベースとしてのガラス枠ベース４３２を備えている。前面枠体４１０は、ガラス枠ベース４３２の前面側で最下部に取り付けられる下皿ユニット１３と、ガラス枠ベース４３２の前面側で下皿ユニット１３の上側に取り付けられる上皿ユニット２１と、ガラス枠ベース４３２の前面側で上皿ユニット２１の上側に取り付けられるガラス枠部２３とを備えている。ガラス枠ベース４３２は、図７に示すように、その平面内に視認用開口部４３１が形成されている。この視認用開口部４３１は、図７に示すように、後述するガラスユニット４８０のガラス板１３７により塞がれている。
【００７７】
下皿ユニット１３は、図１に示すように、前面枠セット１４の最下部箇所に位置するように、ガラス枠ベース４３２に対してネジ等の締結具により固定されている。この下皿ユニット１３は、その前面側に、下皿１５と球抜きレバー１７と遊技球発射ハンドル１８とを備えている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置２２９（図４参照）などで構成されている。音出力部２４は、前面枠セット１４の正面視で上部の左右２箇所で、その前面枠セット１４の内部あるいは背面箇所に設けられたスピーカからの音を出力するための出力口である。
【００７８】
上皿ユニット２１は、図１に示すように、前面枠セット１４の下部箇所（前述の下皿１５の上方位置）に位置するように、ガラス枠ベース４３２に対してネジ等の締結具により固定されており、遊技球の受皿としての上皿１９を備えている。ここで、上皿１９は、遊技球を一旦貯留し、一列に整列させながら遊技球発射装置３８の方へ導出するための球受皿である。
【００７９】
ガラス枠部２３は、図７に示すように、ガラス枠ベース４３２の前面側で上皿ユニット２１の上側に形成された窓部１０１と、この窓部１０１の周囲に設けられた各種の電飾部とを備えている。
【００８０】
つまり、前面枠セット１４には、図１に示すように、前述した上皿ユニット２１の上側に、遊技盤３０の遊技領域３０ａ（図２参照）のほとんどを外部から視認することができるよう略縦長楕円形状の窓部１０１が形成されている。詳しくは、窓部１０１は、略縦長楕円形状で中央が空洞となっており、図６に示すようにその空洞部分を略縦長楕円形状等のガラス板１３７で覆うようにガラスユニット４８０が前面枠セット１４の裏面側に取り付けられたものである。ガラスユニット４８０は、後述するように二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００８１】
加えて、前面枠セット１４は、図１に示すように、その前面側で窓部１０１の周囲（例えば、上箇所、左箇所、右箇所など）に各種の電飾部（後述する上側電飾部４００、左側電飾部４０２、右側電飾部４０４）を備えている。これらの電飾部は、大当たり時や所定のリーチ時等における遊技状態の変化に応じて点灯、点滅のように発光態様が変更制御され遊技中の演出効果を高める役割を果たすものである。例えば、窓部１０１の周縁でその左箇所及び右箇所には、ＬＥＤ等を内蔵した左側電飾部４０２及び右側電飾部４０４がそれぞれに設けられ、窓部１０１の周縁でその上箇所（パチンコ機１０の最上部）には、同じくＬＥＤ等を内蔵した上側電飾部４００が設けられている。
【００８２】
本パチンコ機１０では、左側電飾部４０２、右側電飾部４０４および上側電飾部４００は、大当たりランプとして機能し、大当たり時に点灯や点滅を行うことにより、大当たり中であることを報知する。その他、本パチンコ機１０のコーナー部には、賞球払出し中に点灯する賞球ランプ１０５と、所定のエラー時に点灯するエラー表示ランプ１０６とが備えられている。また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００８３】
また、窓部１０１の下方には貸球操作部１２０が配設されており、貸球操作部１２０には球貸しボタン１２１と、返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００８４】
遊技盤３０は、図２に示すように、正面視で四角形状の合板よりなり、その周縁部が内枠１２の樹脂ベース（図示省略）の裏側に当接した状態で取着されており、この遊技盤３０の前面側の略中央部分たる遊技領域３０ａが樹脂ベースの略楕円形状の図１に示した窓部１０１（ガラス板１３７）を通じて内枠１２の前面側から視認可能な状態となっている。
【００８５】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ）が設けられ、この第１の始動口３３ａへの入球をその作動口スイッチにより検出されるようになっている。また、下部側の第１の始動口３３ｂにも作動口スイッチ（通過検出スイッチ）が設けられ、この第１の始動口３３ｂへの入球をその作動口スイッチにより検出されるようになっている。すなわち、上部側の第１の始動口３３ａへの遊技球の入球または下部側の第１の始動口３３ｂへの遊技球の入球のどちらの場合にも、それが始動入賞であることに変わりは無い。なお、上部側の第１の始動口３３ａと下部側の第１の始動口３３ｂとは、図２に示すように、単一の始動入賞装置３３で構成されている。
【００８６】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００８７】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００８８】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００８９】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００９０】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００９１】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示されるようになっている。なお本実施の形態では、第３図柄表示装置４２（液晶表示装置）は、例えば、１１インチサイズの大型の液晶ディスプレイを備える。可変表示装置ユニット３５には、第３図柄表示装置４２を囲むようにしてセンターフレーム４７が配設されている。なお、上述した第３図柄表示装置４２が本発明における装飾識別情報（図柄）変動表示手段に相当し、上述した表示制御装置４５が本発明における表示制御手段に相当する。
【００９２】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００９３】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００９４】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００９５】
また、遊技盤３０には、図２に示すように、遊技球発射装置３８（図３参照）から発射された遊技球を遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内されるようになっている。複数本のレール５１，５２は長尺状をなすステンレス製の金属帯状部材であり、内外二重に遊技盤３０に取り付けられている。内レール５１は上方の約１／４ほどを除いて略円環状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００９６】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、遊技盤３０が内枠１２に取り付けられた状態において、外レール５２における、遊技球の最大飛翔部分に対応する位置（図２の右上部：外レール５２の先端部に相当する部位）には、内枠１２に設けられた返しゴムが位置するようになっている。従って、所定以上の勢いで発射された遊技球は、返しゴム（図示省略）に当たって跳ね返されるようになっている。外レール５２は、長尺状をなすステンレス製の金属帯としているので、遊技球の飛翔をより滑らかなものとする、つまり遊技球の摩擦抵抗を少なくすることができる。
【００９７】
なお、遊技盤３０の右下隅部は、証紙（例えば製造番号が記載されている）等のシール（図２のＳ１）やプレートを貼着するためのスペースとなっている。遊技盤３０の右下隅部に、証紙等のシール（図２のＳ１）を貼着することで、遊技盤３０と証紙との一義性を持たせることができる。
【００９８】
次に、遊技盤３０の遊技領域３０ａについて説明する。遊技領域３０ａは、図２に示すように、内レール５１と外レール５２との内周部（内外レール）により略縦長円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００９９】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【０１００】
従って、本実施の形態では、遊技領域３０ａの幅（左右方向の最大幅）は、４１８ｍｍであり、遊技領域３０ａの高さ（上下方向の最大幅）は、４４５ｍｍである。
【０１０１】
なお、詳しい図面の開示は省略するが、遊技球発射装置３８には、前面枠セット１４側の球出口（上皿１９の最下流部より通じる球出口）から遊技球が１つずつ供給される。
【０１０２】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台に分けて搭載して２つの制御基板ユニットを構成し、それら制御基板ユニットを個別に内枠１２又は遊技盤３０の裏面に装着するようにしている。この場合、後述する図４に示した主制御装置２６１とサブ制御装置２６２とを一方の取付台（図示省略）に搭載してユニット化すると共に、後述する図４に示した払出制御装置３１１、発射制御装置３１２及び電源装置３１３を他方の取付台（図示省略）に搭載してユニット化している。ここでは便宜上、前者のユニットを「第１制御基板ユニット２０１」と称し、後者のユニットを「第２制御基板ユニット２０２」と称することとする。
【０１０３】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【０１０４】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【０１０５】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。なお、上述した作動口スイッチが本発明における入賞検出手段に相当する。
【０１０６】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【０１０７】
その他図示は省略するが、可変入賞装置３２には、大入賞口３２ａを開放するための大入賞口ソレノイドが設けられ、下部側の第１の始動口３３ｂには、電動役物を開放するための作動口ソレノイドが設けられている。
【０１０８】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。
【０１０９】
第１制御基板ユニット２０１は略矩形状の取付台（図示省略）を有し、この取付台に主制御装置２６１とサブ制御装置２６２とが搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース（図示省略）と該ボックスベースの開口部を覆うボックスカバー（図示省略）とを備えている。これらボックスベースとボックスカバーとは封印ユニット（図示省略）によって開封不能に連結され、これにより基板ボックス２６３が封印されている。
【０１１０】
封印手段としての封印ユニットはボックスベース（図示省略）とボックスカバー（図示省略）とを開封不能に連結する構成であれば任意の構成が適用できるが、本実施例では、例えば５つの封印部材が連結された構成となっており、この封印部材の長孔に係止爪を挿入することでボックスベースとボックスカバーとが開封不能に連結されるようになっている。封印ユニットによる封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット（図示省略）を構成する５つの封印部材のうち、少なくとも一つの封印部材の長孔に係止爪を挿入することにより封印処理が行われる。そして、収容した主制御基板２６１ａの不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨が容易に発見できる。
【０１１１】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【０１１２】
第２制御基板ユニット２０２は横長形状をなす取付台（図示省略）を有し、この取付台に払出制御装置３１１、発射制御装置３１２、電源装置３１３及びカードユニット接続基板３１４が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電      ／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【０１１３】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス（被包手段）を構成するボックスベースとボックスカバーとが封印ユニット（封印手段）によって開封不能に連結され、これにより基板ボックス２６３が封印されている。
【０１１４】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【０１１５】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【０１１６】
次に、裏パックユニット２０３の構成を説明する。裏パックユニット２０３は、図３に示すように、樹脂成形された裏パック３５１と遊技球の払出機構部３５２とを一体化したものである。
【０１１７】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて前記上皿１９に供給される。
【０１１８】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【０１１９】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【０１２０】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【０１２１】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力されるようになっている。
【０１２２】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【０１２３】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０１２４】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアを備えている。
【０１２５】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【０１２６】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【０１２７】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１２８】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアを備えている。
【０１２９】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【０１３０】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【０１３１】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【０１３２】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【０１３３】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【０１３４】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１３５】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【０１３６】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１３７】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【０１３８】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【０１３９】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１４０】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【０１４１】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【０１４２】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示されるようになっている。
【０１４３】
続いて、本実施例のパチンコ機１０のさらなる特徴部分について図６〜図１９を用いて説明する。
【０１４４】
図８は、裏面枠体４３０の前面図である。図９は、裏面枠体４３０を前面右上から見た斜視図である。図１０は、裏面枠体４３０から発光部４２０を取り外した状態を示す分解斜視図である。図１１は、ガラスユニット４８０の付いた状態でのガラス枠ベース４３２の裏面左上から見た斜視図である。図１２は、ガラスユニット４８０の付いた状態でのガラス枠ベース４３２の裏面右上から見た斜視図である。図１３は、ガラス枠ベース４３２を前面右上から見た斜視図である。図１４は、図１３のガラス枠ベース４３２から上部金具４３４，下部金具４３６を取り外した状態を示す分解斜視図である。図１５は、図１４の上部金具４３４，下部金具４３６を取り外し後のガラス枠ベース４３２を前面右上から見た斜視図である。図１６は、図１５のガラス枠ベース４３２から板金４４０ａ〜４４０ｄを取り外した状態を示す分解斜視図である。図１７は、板金４４０ａ〜４４０ｄの斜視図である。なお、図１７では、板金４４０ａ〜４４０ｄにおける一点鎖線円箇所の断面を矢印先の一点鎖線円内に示している。図１８は、内枠１２に対して閉状態とした裏面枠体４３０の前面図である。図１９は、図１８に示すＡ−Ａ線箇所の断面図である。なお、図１８，図１９では、前面枠体４１０を除いた状態としている。
【０１４５】
前面枠セット１４は、図７に示すように、正面視でその上部側の上側電飾部４００から下部側の下皿ユニット１３（下皿１５や遊技球発射ハンドル１８など）までも含む単一の枠体となっているので、この前面枠セット１４を内枠１２に対して開状態とすると、下皿ユニット１３も含めて一体的に開かれた状態となる。なお、この前面枠セット１４を、下皿ユニット１３を除いたものとしてもよい。
【０１４６】
また、前面枠セット１４は、図６，図７に示すように、裏面視で左端側で縦方向に間隔を空けて３個の係止爪４０６を備えている。前面枠セット１４が内枠１２に閉じられる際に、これら３個の係止爪４０６が内枠１２の係止部（図示省略）に係止されることで、前面枠セット１４が内枠１２に閉状態に保持されるようになっている。また逆に、この係止爪４０６を係止部（図示省略）から解除することで、内枠１２の正面視での左端側を開閉軸Ｊ１として前面枠セット１４が内枠１２に対して開放可能となる。
【０１４７】
さらに、前面枠セット１４は、図７に示すように分解視すると、前後方向に二分され、前面側の前面枠体４１０と、裏面側の裏面枠体４３０とから構成されている。つまり、前面枠セット１４は、図７に示すように、内枠１２と対向する面とは反対側の面である前面側に位置する不透明な前面枠体４１０と、内枠１２と対向する面である裏面側に位置する不透明な裏面枠体４３０とを備えている。
【０１４８】
前面枠体４１０および裏面枠体４３０は、樹脂成形されたものとしている。
【０１４９】
具体的には、前面枠体４１０は、複数のユニット（ガラス枠部２３と上皿ユニット２１と下皿ユニット１３）から構成されている。これらのユニット（ガラス枠部２３と上皿ユニット２１と下皿ユニット１３）は、有色の樹脂成形品としており、裏面枠体４３０に別々に取り付けられている。つまり、ガラス枠部２３を構成する上側電飾部４００や左側電飾部４０２や右側電飾部４０４と、上皿ユニット２１と、下皿ユニット１３とが別々に裏面枠体４３０に取り付けられている。また、裏面枠体４３０は有色の樹脂成形品としている。このように前面枠体４１０は、裏面枠体４３０の全体を覆い、かつ、着色されているおり、裏面枠体４３０も有色部材となっていることから、前面枠セット１４はその窓部１０１を除いて不透明となっている。
【０１５０】
また、裏面枠体４３０は、当該裏面枠体４３０と同程度の大きさでベースとなる後述するガラス枠ベース４３２を備えており、このガラス枠ベース４３２は有色（例えば青色など）の樹脂成形品とし、ガラス枠ベース４３２に各種の部材（他の樹脂成形品や部品など）が取り付けられて構成されている。このように裏面枠体４３０は、ガラス枠ベース４３２が有色であることから不透明となっている。つまり、前面枠体４１０および裏面枠体４３０は、着色された材料で形成されている。
【０１５１】
さらに、前面枠セット１４は、図７に示すように、前面枠体４１０と裏面枠体４３０との間に、前面枠体４１０と裏面枠体４３０とは異なる材質で形成された補強部材としての板金４４０ａ〜４４０ｄ（例えば、補強用の板金４４０ａ〜４４０ｄ）を挟んで構成されている。本実施例では、裏面枠体４３０の前面側（内枠１２と対向する面とは反対側）にその板金４４０ａ〜４４０ｄが取り付けられており、この裏面枠体４３０の前面側に前面枠体４１０を取り付けることで、前面枠体４１０と裏面枠体４３０との間に板金４４０ａ〜４４０ｄを挟み込む構成を実現している。なお、この板金４４０ａ〜４４０ｄについては後述する。
【０１５２】
内枠１２は、図９に示すように、前面枠セット１４を開閉可能に軸支する導電性の軸支部４６０を備えている。具体的には、軸支部４６０は、図９に示すように、内枠１２の正面視で左端上部と左端下部との２箇所に設けられている。
【０１５３】
左端上部の軸支部４６０は、裏面枠体４３０の正面視で左端上部に設けられた導電性の上部金具４３４の高さ方向の軸部４３４ａが挿入される、平面視で略Ｕ字形状（その切欠き口の幅が切欠き内部の幅よりも小さくなっている形状）の切欠き部４６２を有する導電性の上部支持具４６４である。軸部４３４ａは、その上側に位置する直径の大きい円柱体と、それよりも直径の小さい下側に位置する円柱体とが同心軸で一体となった二段軸となっている。つまり、軸部４３４ａの下側円柱体（幅細軸）を上部支持具４６４の切欠き部４６２にその切欠き口から入れた後、裏面枠体４３０が僅かに下がって上部支持具４６４の切欠き部４６２の切欠き内部に軸部４３４ａの上側円柱体（幅広軸）が位置し、裏面枠体４３０を持ち上げなければ軸部４３４ａが切欠き部４６２から外れないようになっている。
【０１５４】
また、左端下部の軸支部４６０は、裏面枠体４３０の正面視で左端下部に設けられた導電性の下部金具４３６の水平方向に突き出た支持片４３８の円形の貫通孔４３８ａに挿入される、高さ方向に突出する平面視で円形の突出ピン４６６を有する導電性の下部支持具４６８である。
【０１５５】
図１３に示した裏面枠体４３０の上部金具４３４および下部金具４３６は、図１４に示すように、それに該当するネジ４３５（図１３参照）を緩めて外すことで、裏面枠体４３０から取り外すことができる。
【０１５６】
ところで、実施例の前面枠セット１４は、前述したように上側電飾部４００、左側電飾部４０２および右側電飾部４０４を備えている（図１参照）。これらの上側電飾部４００、左側電飾部４０２および右側電飾部４０４は、図７に示すように、前面枠体４１０の装飾部材４１４と、この装飾部材４１４を照らすための発光部４２０とを備えている。つまり、発光部４２０は、図９，図１０に示すように、所定箇所にＬＥＤ４２２（発光ダイオード）が実装されたランプ基板４２４と、このランプ基板４２４を支持する支持部材４２６とを備えている。ランプ基板４２４を支持する支持部材４２６を裏面枠体４３０の正面視で窓部１０１の上側、右側および左側箇所に取り付けられている。ランプ基板４２４のＬＥＤ４２２が発光することで前面枠体４１０の装飾部材４１４が照らされ、つまり、上側電飾部４００、左側電飾部４０２および右側電飾部４０４が照らされ、前面枠体４１０の装飾部材４１４（上側電飾部４００、左側電飾部４０２および右側電飾部４０４）が発光表示されるようになっている。なお、本実施例では、ランプ基板４２４のＬＥＤ４２２として多色発光タイプのものを採用している。
【０１５７】
ここで、前面枠体４１０と裏面枠体４３０との間に挟み込まれる補強用の板金４４０ａ〜４４０ｄについて説明する。
【０１５８】
図７等を用いて前述したように、裏面枠体４３０は発光部４２０を備え、前面枠体４１０は裏面枠体４３０の発光部４２０により照らされる装飾部材４１４を備え、補強用の板金４４０ａ〜４４０ｄは、装飾部材４１４の裏面側でかつ裏面枠体４３０の前面側に位置している。
【０１５９】
具体的には、補強用の板金４４０ａ〜４４０ｄは、図１４〜図１６に示すように、導電性の部材であり、裏面枠体４３０に複数個（本実施例では４個）備えられている。つまり、４個の板金４４０ａ〜４４０ｄは、前面枠セット１４の正面視で当該前面枠セット１４のうちで窓部１０１を除く箇所で、かつ、窓部１０１の周囲にそれぞれ位置するように裏面枠体４３０に設けられている。また、これら板金４４０ａ〜４４０ｄが電気的に接続されている。
【０１６０】
図１４〜図１６に示すように、４個の補強用の板金４４０ａ〜４４０ｄは、前面枠セット１４の正面視で当該前面枠セット１４の上部に位置する補強用の上板金４４０ａと、前面枠セット１４の右部に位置する補強用の右板金４４０ｂと、前面枠セット１４の下部に位置する補強用の下板金４４０ｃと、前面枠セット１４の左部に位置する補強用の左板金４４０ｄのことである。
【０１６１】
また、図１３，図１７に示すように、板金４４０ｂ，４４０ｃは、その一部同士が直接的に接触した状態でネジ４３５等の締結部品で固定され、板金４４０ｄ，４４０ｃも、その一部同士が直接的に接触した状態でネジ４３５等の締結部品で固定され、板金４４０ａ，４４０ｄが上部金具４３４の導電性金具４３４ｂ（導電性部材）を介して間接的に接触した状態でネジ４３５等の締結部品で固定され、板金４４０ａ，４４０ｂが図１４に示す導電性金具４３４ｃ（導電性部材）を介して間接的に接触した状態でネジ４３５等の締結部品で固定されていることから、これらの板金４４０ａ〜４４０ｄが相互に電気的に接続された状態となっている。
【０１６２】
さらに詳細に言えば、図１３，図１４に示すように、左板金４４０ｄの上部と上板金４４０ａの左端部とは導電性の上部金具４３４の導電性金具４３４ｂで締結されているので、左板金４４０ｄと上板金４４０ａとが電気的に接続されている。また、左板金４４０ｄの下部と下板金４４０ｃの左端部とは導電性の下部金具４３６で締結されているので、左板金４４０ｄと下板金４４０ｃとが電気的に接続されている。また、右板金４４０ｂの上部と上板金４４０ａの右端部とは導電性金具４３４ｃで締結されているので、右板金４４０ｂと上板金４４０ａとが電気的に接続されている。また、右板金４４０ｂの下部と下板金４４０ｃの右端部とは重なった状態でネジ４３５により締結されているので、右板金４４０ｂと下板金４４０ｃとが電気的に接続されている。
【０１６３】
図９に示すように、内枠１２の左端上部の軸支部４６０としての導電性の上部支持具４６４は、裏面枠体４３０の導電性の上部金具４３４を介して上板金４４０ａおよび左板金４４０ｄに電気的に接続されており、内枠１２の左端下部の軸支部４６０としての導電性の下部支持具４６８は、裏面枠体４３０の導電性の下部金具４３６を介して下板金４４０ｃおよび左板金４４０ｄに電気的に接続されており、内枠１２の上部支持具４６４および下部支持具４６８が接地（アース）されている。
【０１６４】
つまり、板金４４０ａ〜４４０ｄは、図７に示すように、前面枠セット１４の正面視で当該前面枠セット１４のうちで窓部１０１を除く箇所で、かつ、窓部１０１の周囲に位置するように、前面枠体４１０と裏面枠体４３０との間に挟み込まれている。
【０１６５】
また、上板金４４０ａ、左板金４４０ｄおよび右板金４４０ｂは、図１６，図１７に示すように、断面視でコノ字形状である長手部材となっている。下板金４４０ｃは、図１６，図１７に示すように、裏面枠体４３０の幅と同程度の幅で窓部１０１の下部から裏面枠体４３０の下端までの高さを有する略平板状で、下方箇所が裏面枠体４３０の方に折り曲げられた形状となっている。
【０１６６】
上述した４個の板金４４０ａ〜４４０ｄは、図１７に示すように、前面枠セット１４での前面側および裏面側を除く外周箇所である外周部でその前面枠セット１４の裏面の方に向かって折り曲げられた折り曲げ部（リブ）４４２をそれぞれ備えている。
【０１６７】
具体的には、上板金４４０ａは、図１７に示すように、前面枠セット１４での前面側および裏面側を除く外周箇所である外周部の上部箇所でその前面枠セット１４の裏面の方に向かって折り曲げられた折り曲げ部４４２を備えている。右板金４４０ｂは、図１７に示すように、前面枠セット１４での前面側および裏面側を除く外周箇所である外周部の右部箇所でその前面枠セット１４の裏面の方に向かって折り曲げられた折り曲げ部４４２を備えている。下板金４４０ｃは、図１７に示すように、前面枠セット１４での前面側および裏面側を除く外周箇所である外周部の下部箇所でその前面枠セット１４の裏面の方に向かって折り曲げられた折り曲げ部４４２を備えている。左板金４４０ｄは、図１７に示すように、前面枠セット１４での前面側および裏面側を除く外周箇所である外周部の左部箇所でその前面枠セット１４の裏面の方に向かって折り曲げられた折り曲げ部４４２を備えている。
【０１６８】
内枠１２は、図１９に示すように、当該内枠１２の正面視でその外端箇所に、前面枠セット１４の閉状態において当該前面枠セット１４の外周部の少なくとも内枠１２に近い側が近接する外壁部４７０を備えている。
【０１６９】
図１９に示すように、前述した板金４４０ａ〜４４０ｄの折り曲げ部４４２は、その先端が内枠１２の方に向かって突出した突出部４４４を備えている。内枠１２は、外壁部４７０の内側で、前面枠セット１４の閉状態において当該前面枠セット１４の板金４４０ａ〜４４０ｄの折り曲げ部４４２の突出部４４４が入る凹部４７２を備えている。
【０１７０】
続いて、本実施例のパチンコ機１０のさらなる特徴部分について図２０〜図３０を用いて説明する
【０１７１】
図２０は、ガラス枠ベース４３２とガラスユニット４８０を裏面左上から見た斜視図である。図２１は、ガラス枠ベース４３２とガラスユニット４８０を裏面右上から見た斜視図である。図２２は、ガラスユニット４８０を取り外した状態のガラス枠ベース４３２の裏面図である。図２３（ａ）〜（ｅ）は、その順に、ガラスフレーム４８２の上面図、左側面図、前面図、右側面図、下面図である。図２４は、ガラスフレーム４８２の前面左上からみた斜視図である。図２５は、ガラスフレーム４８２の前面右上からみた斜視図である。図２６は、ガラスフレーム４８２の裏面左上からみた斜視図である。図２７は、ガラスフレーム４８２の裏面右上からみた斜視図である。図２８は、ガラスフレーム４８２の裏面図である。図２９は、ガラスユニット４８０の分解斜視図である。図３０は、前面枠セット１４でのガラス枠ベース４３２の窪み部４３３の箇所の断面図である。
【０１７２】
さらに、前面枠セット１４は、図２０，図２１に示すように、その裏面側（内枠１２と対向する側）にガラスユニット４８０を備えている。具体的には、前面枠セット１４の裏面枠体４３０におけるガラス枠ベース４３２は、その裏面側にガラスユニット４８０が着脱自在となっている。
【０１７３】
ガラスユニット４８０は、図２０，図２１に示すように、遊技盤３０の遊技領域３０ａ（図２参照）の前面を覆うガラス板１３７と、このガラス板１３７が固着されるガラスフレーム４８２とを備えている。具体的には、ガラスフレーム４８２は、図２９に示すように、ガラス板１３７の外周箇所１３７ａを内接させるようにして当該ガラス板１３７が固着される内装用開口部４８４を有する枠状のフレーム部材としている。
【０１７４】
さらに、裏面枠体４３０は、図２０〜図２２に示すように、正面視でその所定箇所に、遊技盤３０の遊技領域３０ａを視認するための視認用開口部４３１が形成され、裏面視でこの視認用開口部４３１を含む大きさの取付面に窪み部４３３が形成されている。
【０１７５】
窪み部４３３は、図２０〜図２２に示すように、ガラスフレーム４８２の外周箇所を内接させるようにして当該ガラスフレーム４８２が取着されるものであり、かつ、その取着されたガラスフレーム４８２の当該窪み部４３３側箇所がその奥面４３３ａに当接するものとしている。なお、窪み部４３３を、取着されたガラスフレーム４８２の当該窪み部４３３側箇所がその奥面４３３ａに近接するものとしてもよい。
【０１７６】
裏面枠体４３０は、図２０〜図２２に示すように、その裏面側の所定箇所に、ガラスフレーム４８２が着脱自在で、かつ、ガラスフレーム４８２を窪み部４３３に取着させた嵌合状態（第１状態）と、ガラスフレーム４８２を窪み部４３３から離脱した離脱状態（第２状態）とに変位可能に当該ガラスフレーム４８２を支持する支持部４８６を備えている。具体的には、ガラスフレーム４８２は、図２０に示すように、その裏面視で右側部の上下２箇所に、下向きに突出した円柱形状の支持ピン４８３がそれぞれ形成されている。裏面枠体４３０は、図２０に示すように、その裏面視で右側上下２箇所に、ガラスフレーム４８２の支持ピン４８３の挿入される挿入方向視で円形の支持孔４８５が形成された支持片４８７を、それぞれ備えている。
【０１７７】
裏面枠体４３０の窪み部４３３は、図３０に示すように、前面枠体４１０の方に窪んで形成されており、具体的には、裏面枠体４３０の裏面側から前面側に向けて突出した突出壁４８９と、この突出壁４８９の先端部から視認用開口部４３１の方に延出させた延出部４９１とを備えたものであり、延出部４９１で仕切られた空間に視認用開口部４３１を形成している。
【０１７８】
窪み部４３３は、図２２に示すように、ガラス板１３７との重なり代を、裏面枠体４３０の裏面視で視認用開口部４３１の下側の方がこの視認用開口部４３１の上側および左右側よりも大きくした形状となっている。つまり、窪み部４３３は、その視認用開口部４３１の下側での重なり代ｄ１が、その上側での重なり代ｄ２、左側での重なり代ｄ３および右側での重なり代ｄ４よりも大きくなっている。
【０１７９】
さらに、窪み部４３３は、図２０，図２２に示すように、その所定箇所に、前面枠体４１０を裏面枠体４３０にネジ止めするためのネジ孔４９８が複数個（本実施例では１０個）形成されている。つまり、前面枠体４１０を裏面枠体４３０のネジ孔４９８にネジ止めすることで、前面枠体４１０と裏面枠体４３０とを視認用開口部４３１の近傍で一体的に固定することができ、開口の剛性を高くできる。また、前面枠体４１０を裏面枠体４３０に取り付ける際には、支持部４８６により、ガラスフレーム４８２を窪み部４３３から離脱させた離脱状態（第２状態）でガラスユニット４８０を支持でき、ガラスユニット４８０を前面枠セット１４から完全に取り外した状態とする必要もない。
【０１８０】
ガラスフレーム４８２は、図２９に示すように、内装用開口部４８４の一方の開口側（例えば裏面側）および他方の開口側（例えば前面側）にガラス板１３７（図参照）がそれぞれ固着され、二重ガラス構造とするものである。また、ガラスフレーム４８２は、図２４〜図２８に示すように、両ガラス板１３７が所定の間隔を空けて配設される二重ガラス構造となるように内装用開口部４８４から突出した部分であって両ガラス板１３７の間に挟まれる介装部４８２ａを備えている。
【０１８１】
裏面枠体４３０は、図２２に示すように、正面視で視認用開口部４３１以外の箇所に、払出モータ３５８ａからの遊技球を前面枠セット１４の裏面側から前面側の上皿１９に排出する排出口たる貫通孔４９３を備え、かつ、窪み部４３３のうちで貫通孔４９３に近い箇所を貫通孔４９３の方に領域拡張した拡張窪み部４９５を備えている。ガラスフレーム４８２は、拡張窪み部４９５付きの窪み部４３３に対応した形状としており、拡張窪み部４９５に対応する箇所に、両ガラス板１３７間を除湿するための乾燥剤を収納する乾燥剤入れ部４９７を備えている。
【０１８２】
また、両ガラス板１３７は、図２９に示すように、正面視でその形状が互いに異なっている。具体的には、図２９に示すように、ガラスフレーム４８２の内装用開口部４８４での一方の開口側（例えば裏面側）に固着されるガラス板１３７は、正面視で略縦長楕円形状のものであり、ガラスフレーム４８２の内装用開口部４８４での他方の開口側（例えば前面側）に固着されるガラス板１３７は、正面視で、略縦長楕円形状に拡張窪み部４９５を加えたような形状となっている。
【０１８３】
なおここで、図３０に示すように、ピアノ線などの不正部材Ｆを窓部１０１から進入させようとする不正行為に対する効果などについて以下に説明する。
【０１８４】
図３０に示すように、前面枠セット１４の視認用開口部４３１（具体的には視認用開口部４３１とガラス板１３７との間）にピアノ線などの不正部材Ｆを進入させようとしても、前面枠セット１４は、ガラス板１３７が固着されたガラスフレーム４８２を窪み部４３３に内接させて取着しているので、ガラスフレーム４８２の外周と窪み部４３３との間に隙間が無く、しかも、取着されたガラスフレーム４８２の窪み部４３３側箇所がその窪み部４３３の奥面４３３ａに当接しているので、ガラスフレーム４８２の窪み部４３３側箇所とその窪み部４３３の奥面４３３ａとの間に隙間が無く、前面枠セット１４での視認用開口部４３１とガラス板１３７との間にピアノ線などの不正部材Ｆを進入させることができないし、遊技領域の入賞部品（例えば、第１の始動口３３ａ，３３ｂ）などが不正に操作されることがない。
【０１８５】
さらに、前面枠セット１４の窪み部４３３におけるガラスフレーム４８２の外周と取着する箇所たる「第１箇所」を熱で溶かしてガラス板１３７の面方向に不正な貫通孔４９３を形成しようとしても、まず、ガラスフレーム４８２の窪み部４３３の奥面４３３ａ箇所たる「第２箇所」を熱溶解させなければ第１箇所に到達できないので、この第２箇所の熱溶解やそれを不正に修復したことを発見できるので不正を容易に発見できるし、窪み部４３３は、その窪み形状からわかるように、薄壁状部材のような厚みの薄いものではなく、その窪み壁の厚みは前記薄壁状部材と比べて非常に厚くなっている（極端に言えば、前面枠セット１４の視認用開口部４３１からその外側までの長さが、窪み部４３３の窪み壁の厚みと言える）ことから、その窪み壁を溶かしてガラス板１３７面方向に不正な貫通孔４９３を形成することも困難であり、不正抑止効果が高い。
【０１８６】
なお、上述した内枠１２が本発明における本体部材に相当し、上述した前面枠セット１４が本発明における扉部材に相当し、上述したガラス板１３７が本発明における透明部材に相当し、上述したガラス板１３７が本発明における透明部材に相当し、上述したガラスフレーム４８２が本発明におけるフレームに相当し、上述した前面枠体４１０が本発明における前面側部材に相当し、上述した裏面枠体４３０が本発明における裏面側部材に相当し、上述した板金４４０ａ〜４４０ｄ（上板金４４０ａ、右板金４４０ｂ、下板金４４０ｃ、左板金４４０ｄ）が本発明における補強部材に相当し、上述した窓部１０１およびガラス板１３７が本発明における視認窓に相当し、上述した発光部４２０が本発明における発光手段に相当する。
【０１８７】
上述したように、本実施例のパチンコ機１０によれば、前面枠セット１４は、遊技盤３０の遊技領域３０ａの前面を覆うガラス板１３７と、このガラス板１３７の外周箇所１３７ａを内接させるようにして当該ガラス板１３７が固着される内装用開口部４８４を有する枠状のガラスフレーム４８２とを備え、さらに、前面枠セット１４は、正面視でその所定箇所に、遊技盤３０の遊技領域３０ａを視認するための視認用開口部４３１が形成され、裏面視で視認用開口部４３１を含む大きさの取付面に窪み部４３３が形成されており、この窪み部４３３は、ガラスフレーム４８２の外周箇所を内接させるようにして当該ガラスフレーム４８２が取着されるものであり、かつ、その取着されたガラスフレーム４８２の当該窪み部４３３側箇所がその奥面４３３ａに当接する。したがって、前面枠セット１４は、ガラス板１３７が固着されたガラスフレーム４８２を窪み部４３３に内接させて取着しているので、ガラスフレーム４８２の外周と窪み部４３３との間に隙間が無く、しかも、取着されたガラスフレーム４８２の窪み部４３３側箇所がその窪み部４３３の奥面４３３ａに当接しているので、ガラスフレーム４８２の窪み部４３３側箇所とその窪み部４３３の奥面４３３ａとの間に隙間が無く、前面枠セット１４の視認用開口部４３１（具体的には視認用開口部４３１とガラス板１３７との間）にピアノ線などの不正部材を進入させることができないようにでき、遊技領域の入賞部品などが不正に操作されることを低減できる。
【０１８８】
さらに、前面枠セット１４の窪み部４３３におけるガラスフレーム４８２の外周と取着する箇所たる「第１箇所」を熱で溶かしてガラス板１３７の面方向に不正な貫通孔４９３を形成しようとしても、まず、ガラスフレーム４８２の窪み部４３３側箇所たる「第２箇所」を熱溶解させなければ第１箇所に到達できないので、この第２箇所の熱溶解やそれを不正に修復したことを発見できるので不正を容易に発見できるし、窪み部４３３は、その窪み形状からわかるように、薄壁状部材のような厚みの薄いものではなく、その窪み壁の厚みは前記薄壁状部材と比べて非常に厚くなっている（極端に言えば、前面枠セット１４の視認用開口部４３１からその外側までの長さが、窪み部４３３の窪み壁の厚みと言える）ことから、その窪み壁を溶かしてガラス板１３７面方向に不正な貫通孔４９３を形成することも困難であり、不正抑止効果が高い。
【０１８９】
このことから、前面枠セット１４を正面視した状態で視認用開口部４３１に対してガラス板１３７を十分に大きくしていく（つまり、視認用開口部４３１に対するガラス板１３７の重なり代を十分に大きくしていく）必要はなく、ガラス板１３７の重量増加を低減でき、重量増加に伴う作業性、運搬性等の低下の問題を低減できる。
【０１９０】
その結果、ガラス板１３７の重量増加を抑止しつつ不正行為を低減できる前面枠セット１４を備えた遊技機を提供することができる。
【０１９１】
また、前面枠セット１４は、その裏面側の所定箇所に、ガラスフレーム４８２が着脱自在で、かつ、ガラスフレーム４８２を窪み部４３３に取着させた第１状態と、ガラスフレーム４８２を窪み部４３３から離れた第２状態とに変位可能に当該ガラスフレーム４８２を支持する支持部４８６を備えている。つまり、装着の際には、ガラス板１３７が内装されたガラスフレーム４８２を前面枠セット１４の支持部４８６に取り付けることで、そのガラス板１３７付きガラスフレーム４８２が前面枠セット１４の支持部４８６で支持された状態となり、その支持状態のままで、ガラスフレーム４８２を窪み部４３３に取着させた第１状態に移行できる。また、抜脱の際には、ガラスフレーム４８２を窪み部４３３に取着させた第１状態から、ガラスフレーム４８２を窪み部４３３から離れた第２状態に変位でき、しかもこれらの状態が前面枠セット１４に支持された状態のままであり、第２状態のガラスフレーム４８２を支持部４８６から取り外すことができる。したがって、ガラス板１３７の交換作業などを容易にかつ安全に行うことができる。
【０１９２】
また、窪み部４３３は、ガラス板１３７との重なり代を、前面枠セット１４の裏面視で視認用開口部４３１の下側の方が視認用開口部４３１の上側および左右側よりも大きくした形状となっているので、前面枠セット１４の正面視で視認用開口部４３１の下側は、視認用開口部４３１の上側および左右側に比べて不正が行われ易い箇所であり、視認用開口部４３１の下側の重なり代を大きくすることで、ガラス板１３７の重量はその箇所分だけ増加してしまうが、重なり代が大きいことでさらに不正抑止効果が高まる。
【０１９３】
なお、図２２に示すように、視認用開口部４３１の上側（あるいは左側または右側）においての、ガラスフレーム４８２を裏面枠体４３０に固定するための固定部４９９（図２０参照）が位置する部分ｄ５は、視認用開口部４３１の上側および左右側の重なり代ｄ２〜ｄ４に含まない。
【０１９４】
また、前面枠セット１４は、内枠１２と対向する面とは反対側の面である前面側に位置する前面枠体４１０と、内枠１２と対向する面である裏面側に位置する裏面枠体４３０とを備え、前面枠体４１０および裏面枠体４３０は、視認用開口部４３１を備え、窪み部４３３は、裏面枠体４３０での内枠１２と対向する側に形成されており、裏面枠体４３０の裏面側から前面側に向けて突出した突出壁４８９と、この突出壁４８９の先端部から視認用開口部４３１の方に延出させた延出部４９１とを備えたものであり、延出部４９１で仕切られた空間に視認用開口部４３１を形成しているので、前面枠セット１４の裏面枠体４３０に形成された窪み部４３３により、ガラスフレーム４８２の外周と窪み部４３３との間に隙間が無く、しかも、ガラスフレーム４８２の窪み部４３３側箇所とその窪み部４３３の奥面４３３ａとの間も隙間が無く、前面枠セット１４の視認用開口部４３１（具体的には視認用開口部４３１とガラス板１３７との間）にピアノ線などの不正部材を進入させることができないようにでき、遊技領域の入賞部品などが不正に操作されることを低減できる。
【０１９５】
さらに、前面枠セット１４の窪み部４３３におけるガラスフレーム４８２の外周と取着する箇所たる突出壁４８９を熱で溶かしてガラス板１３７の面方向に不正な貫通孔４９３を形成しようとしても、まず、ガラスフレーム４８２の窪み部４３３側箇所たる延出部４９１を熱溶解させなければ窪み部４３３の突出壁４８９に到達できないので、この延出部４９１の熱溶解やそれを不正に修復したことを発見できるので不正を容易に発見できるし、窪み部４３３は、その窪み形状からわかるように断面視で略Ｌ字形状となっており、その突出壁４８９を溶かしてガラス板１３７面方向に不正な貫通孔４９３を形成したとしても未だ前面枠セット１４の裏面側に達しておらず、遊技領域３０ａの入賞部品などが不正に操作されることもないし、不正抑止効果が高い。
【０１９６】
さらに、前面枠セット１４は正面視で前後方向に前面枠体４１０と裏面枠体４３０とに分けられ、裏面枠体４３０によって前述した不正抑止効果があり、前面枠体４１０は専ら意匠性に優れた形状等とすることができ、不正行為低減のためにその意匠性などが制限されるという問題も生じない。
【０１９７】
また、ガラスフレーム４８２は、内装用開口部４８４の一方の開口側および他方の開口側にガラス板１３７がそれぞれ固着されるものであり、両ガラス板１３７が所定の間隔を空けて配設される二重ガラス構造となるように内装用開口部４８４から突出した部分であって両ガラス板１３７間に挟まれる介装部４８２ａを備えているので、このような二重ガラス構造の前面枠セット１４では以下に説明するようにさらに不正抑止効果がある。つまり、ガラス板１３７が前後に二枚並べられ、かつ、内装用開口部４８４の介装部４８２ａを両ガラス板１３７で挟んだ状態とした二重ガラス構造となっているので、ガラス板１３７の外周とガラスフレーム４８２の内装用開口部４８４とが固着され、ガラス板１３７の外周とガラスフレーム４８２の内装用開口部４８４との間に隙間が無く、ガラス板１３７の外周とガラスフレーム４８２の内装用開口部４８４との間にピアノ線などの不正部材を進入させることができないようにでき、しかも、ガラス板１３７付きのガラスフレーム４８２を正面視した場合での、ガラス板１３７の外周とガラスフレーム４８２の内装用開口部４８４との境界部分には、両ガラス板１３７間に挟まれた介装部４８２ａが位置しており、この介装部４８２ａが邪魔になってそれ以上不正部材を進入させることができないし、遊技領域の入賞部品などが不正に操作されることを低減できる。
【０１９８】
また、裏面枠体４３０は、正面視で視認用開口部４３１以外の箇所に貫通孔４９３を備え、かつ、窪み部４３３のうちで貫通孔４９３に近い箇所を貫通孔４９３の方に領域拡張した拡張窪み部４９５を備えており、ガラスフレーム４８２は、拡張窪み部４９５付きの窪み部４３３に対応した形状としており、拡張窪み部４９５に対応する箇所に、両ガラス板１３７間を除湿するための乾燥剤を収納する乾燥剤入れ部４９７を備えているので、前面枠セット１４の視認用開口部４３１から不正部材を進入させることは前述したように困難とすることができ、前面枠セット１４の視認用開口部４３１とこの前面枠セット１４の裏面枠体４３０の貫通孔４９３との間に設けられた乾燥剤入れ部４９７が不正部材の進入を妨げるので、裏面枠体４３０の貫通孔４９３への進入を低減できる。つまり、前面枠セット１４の視認用開口部４３１から不正部材を進入させ、かつ、この前面枠セット１４における裏面枠体４３０の貫通孔４９３に進入させる不正行為を低減できる。すなわち、裏面枠体４３０の貫通孔４９３を悪用（狙った）した不正部材の進入を低減できる。
【０１９９】
また、内枠１２に対して開閉自在な前面枠セット１４は、内枠１２と対向する面とは反対側の面である前面側に位置する不透明な前面枠体４１０と、内枠１２と対向する面である裏面側に位置する不透明な裏面枠体４３０とを備え、前面枠体４１０と裏面枠体４３０との間に、前面枠体４１０と裏面枠体４３０とは異なる材質で形成された補強用の板金４４０ａ〜４４０ｄを挟んで構成されているので、前面枠セット１４を前面視したとしてもその前面枠体４１０が不透明なものであることから、前面枠セット１４における補強用の板金４４０ａ〜４４０ｄの配置箇所をわからないようにできるし、たとえ前面枠セット１４を開けて裏面視したとしても、裏面枠体４３０が不透明なものであるため、前面枠セット１４における補強用の板金４４０ａ〜４４０ｄの配置箇所をわからないようにできる。つまり、前面枠セット１４での補強用の板金４４０ａ〜４４０ｄの有無、補強用の板金４４０ａ〜４４０ｄを避けた位置やその有無についてもわからないようにできる。したがって、補強用の板金４４０ａ〜４４０ｄを避けた位置に孔（不正な孔）を空けることを困難とすることができ、前面枠セット１４を介しての不正行為を低減できる。
【０２００】
また、前面枠体４１０および裏面枠体４３０は、着色された材料で形成されており、不透明な部材となっているので、前面枠セット１４における補強用の板金４４０ａ〜４４０ｄの配置箇所をわからないようにでき、前面枠セット１４を介しての不正行為を低減できる。
【０２０１】
また、内枠１２は、遊技球が打ち込まれる遊技領域３０ａを有する遊技盤３０を備え、前面枠セット１４は、内枠１２に対して閉じた状態で遊技盤３０の遊技領域３０ａが視認可能な窓部１０１およびガラス板１３７を備え、補強用の板金４４０ａ〜４４０ｄは、前面枠セット１４の正面視で当該前面枠セット１４のうちで窓部１０１およびガラス板１３７を除く箇所で、かつ、窓部１０１の周囲に位置するように、前面枠体４１０と裏面枠体４３０との間に挟み込まれているので、前面枠セット１４の窓部１０１の周囲箇所のうちで補強用の板金４４０ａ〜４４０ｄを避けた位置やその有無についてもわからないようにでき、補強用の板金４４０ａ〜４４０ｄを避けた位置に孔を空けることを困難とすることができ、前面枠セット１４を介しての不正行為を低減できる。
【０２０２】
また、補強部材として補強用の板金４４０ａ〜４４０ｄを採用しているので、前面枠セット１４の剛性を確保できるのみならず、この板金４４０ａ〜４４０ｄを溶かして孔を空けることは困難であり、前面枠セット１４を介しての不正行為を低減できる。
【０２０３】
また、複数個の補強用の板金４４０ａ〜４４０ｄは、前面枠セット１４の正面視で当該前面枠セット１４のうちで窓部１０１およびガラス板１３７を除く箇所で、かつ、窓部１０１の周囲にそれぞれ位置するように、前面枠体４１０と裏面枠体４３０との間に挟み込まれているので、前面枠セット１４の剛性を確保できるのみならず、この板金４４０ａ〜４４０ｄを溶かして孔を空けることは困難であり、前面枠セット１４を介しての不正行為を低減できる。また、これら板金４４０ａ〜４４０ｄが電気的に接続されているので、いずれかの板金４４０ａ〜４４０ｄを接地することで、前面枠セット１４の全体にわたって接地させることができる。
【０２０４】
また、前面枠セット１４の上部には補強用の上板金４４０ａを、前面枠セット１４の右部には補強用の右板金４４０ｂを、前面枠セット１４の下部には補強用の下板金４４０ｃを、前面枠セット１４の左部には補強用の左板金４４０ｄをそれぞれ備えており、これらの板金４４０ａ〜４４０ｄが前面枠体４１０と裏面枠体４３０との間に挟み込まれているので、前面枠セット１４の剛性を確保できるのみならず、この板金４４０ａ〜４４０ｄを溶かして孔を空けることは困難であり、前面枠セット１４を介しての不正行為を低減できる。また、これら板金４４０ａ〜４４０ｄが電気的に接続されているので、いずれかの板金４４０ａ〜４４０ｄに対して接地することで、前面枠セット１４の全体にわたって接地させることができる。
【０２０５】
また、内枠１２は、前面枠セット１４を開閉可能に軸支する導電性の軸支部４６０を備え、内枠１２の軸支部４６０は、複数個の板金４４０ａ〜４４０ｄのうちの少なくとも一つと電気的に接続されるとともに接地されているので、前面枠セット１４の全体にわたって接地させることができる。
【０２０６】
また、裏面枠体４３０は発光部４２０を備え、前面枠体４１０は裏面枠体４３０の発光部４２０により照らされる装飾部材４１４を備え、補強用の板金４４０ａ〜４４０ｄは、装飾部材４１４の裏面側でかつ裏面枠体４３０の前面側に位置しているので、装飾部材４１４に溜まるノイズによる悪影響を低減できる。つまり、装飾部材４１４（特に金属製又は金属メッキを施した装飾部材など）に電荷が溜まることがあり、この電荷に起因して発生するノイズが前面枠セット１４から裏面側へ出射されることを導電性の板金４４０ａ〜４４０ｄにより低減でき、内枠１２の遊技盤３０の各種遊技部品や、ひいては、遊技内容を制御する制御基板に対し、悪影響をもたらすことを低減できる。
【０２０７】
また、板金４４０ａ〜４４０ｄは、前面枠セット１４での前面側および裏面側を除く外周箇所である外周部（つまり、前面枠セット１４の外周側）でその前面枠セット１４の裏面の方に向かって折り曲げられた折り曲げ部４４２を備えているので、前面枠セット１４の外周部に孔を空けることを困難とすることができ、前面枠セット１４を介しての不正行為を低減できる。
【０２０８】
また、内枠１２は、当該内枠１２の正面視でその外端箇所に、前面枠セット１４の閉状態において当該前面枠セット１４の外周部の少なくとも内枠１２に近い側が近接する外壁部４７０を備えているので、前面枠セット１４の外周部で内枠１２に近い側が内枠１２の外壁部４７０に近接して閉じた状態となるので、前面枠セット１４と内枠１２との隙間に細状部材を挿入して不正しようとしても、細状部材が内枠１２の奥面に当たりそれ以上進まないかあるいは進み難いので、不正行為を低減できる。
【０２０９】
また、板金４４０ａ〜４４０ｄの折り曲げ部４４２は、その先端が内枠１２の方に向かって突出した突出部４４４を備え、内枠１２は、外壁部４７０の内側で、前面枠セット１４の閉状態において当該前面枠セット１４の板金４４０ａ〜４４０ｄの折り曲げ部４４２の突出部４４４が入る凹部４７２を備えているので、前面枠セット１４が内枠１２に対して閉じた状態となると、前面枠セット１４の外周部で内枠１２に近い側が内枠１２の外壁部４７０に近接して閉じた状態となるだけでなく、板金４４０ａ〜４４０ｄの折り曲げ部４４２の先端である突出部４４４が内枠１２の凹部４７２に入った状態となるので、前面枠セット１４と内枠１２との隙間に細状部材を挿入して不正しようとしても、細状部材が内枠１２の凹部４７２に当たりそれ以上進まないかあるいは凹部４７２から出難くそれ以上進み難いので、不正行為を低減できる。
【０２１０】
また、補強用の板金４４０ａ〜４４０ｄの折り曲げ部４４２の前面枠セット１４の裏面側への突出量を、裏面枠体４３０の厚みの分だけ減らすことができ、前面枠セット１４の厚みを薄くできる。したがって、丈夫な補強構造を維持しつつ薄くできる前面枠セット１４を備えたパチンコ機を提供できる。このように、薄くした分（裏面枠体４３０の厚みの分）だけさらに前面側に盛り上った形状の前面枠セット１４を採用することもでき、盛り上がり程度を大きくできることから造形性を向上させることができる。また、前面枠セット１４は、前述したように薄くすることができるので、従来のパチンコ機での開き角（隣のパチンコ機に当たる角度）よりも大きな開き角とすることができ、作業性を向上させることができる。
【０２１１】
また、前面枠体４１０と裏面枠体４３０とは樹脂成形されたものとしているので、前面枠体４１０と裏面枠体４３０とを容易に成形することができる。
【０２１２】
この発明は、上記実施形態に限られることはなく、下記のように変形実施することができる。
【０２１３】
（１）上述した実施例では、ガラス板１３７を採用しているが、透明樹脂板などガラス以外の材質のものを採用してもよい。
【０２１４】
（２）上述した実施例では、中空環状のガラスフレーム４８２を採用しているが、矩形状や楕円形状など円形以外の中空形状としてもよい。
【０２１５】
（３）上述した実施例における窪み部４３３の窪み壁を、ガラスフレーム４８２の外周から放射方向に向かって裏面枠体４３０の外側に達するまでの厚み、つまり、裏面枠体４３０の視認用開口部４３１からその裏面枠体４３０の外側までの長さとしてもよい。
【０２１６】
（４）上述した実施例では、貫通孔４９３は、払出モータ３５８ａ（払出装置）からの遊技球を前面枠セット１４（扉部材）の裏面側から前面側の上皿１９に排出する排出口としているが、遊技球を投入するための投入口や、スピーカ用の孔など各種の貫通孔が挙げられる。
【０２１７】
（５）上述した実施例では、前面枠体４１０および裏面枠体４３０は着色された材料で形成されているが、前面枠体４１０は、その前面側（前面枠体４１０における板金４４０ａ〜４４０ｄに接している面とは反対の面側）が少なくとも着色されたものとし、裏面枠体４３０は、その裏面側（裏面枠体４３０における板金４４０ａ〜４４０ｄに接している面とは反対の面側）が少なくとも着色されたものとしてもよい。例えば、前面枠体４１０および裏面枠体４３０のその外面を着色塗装するなどが挙げられる。この場合でも、扉部材（前面枠セット１４）における補強部材（板金４４０ａ〜４４０ｄ）の配置箇所をわからないようにでき、扉部材（前面枠セット１４）を介しての不正行為を低減できる。
【０２１８】
（６）上述した実施例では、前面枠体４１０および裏面枠体４３０は着色された材料で形成されているが、前面枠体４１０は、その前面側（前面枠体４１０における板金４４０ａ〜４４０ｄに接している面とは反対の面側）に着色された部材を備え、裏面枠体４３０は、その裏面側（裏面枠体４３０における板金４４０ａ〜４４０ｄに接している面とは反対の面側）に着色された部材を備えるようにしてもよい。例えば、前面枠体４１０および裏面枠体４３０のその外面に着色された部材（例えば、着色されたシート、シールなど）を貼り付けたり、取り付けたりすることなどが挙げられる。この場合でも、扉部材（前面枠セット１４）における補強部材（板金４４０ａ〜４４０ｄ）の配置箇所をわからないようにでき、扉部材（前面枠セット１４）を介しての不正行為を低減できる。
【０２１９】
（７）上述した実施例では、本体部材（内枠１２）は、扉部材（前面枠セット１４）を開閉可能に軸支する導電性の軸支部４６０を備え、この軸支部４６０は、複数個の板金４４０ａ〜４４０ｄのうちの少なくとも一つと電気的に接続されるとともに接地されている構成を採用しているが、以下のような構成を採用してもよい。
【０２２０】
例えば、本体部材（内枠１２）は、扉部材（前面枠セット１４）が当該内枠１２に対して閉状態となると、少なくとも一つの板金４４０ａ〜４４０ｄに接触して電気的に接続される図示省略の接続部（接触部）を備え、この接続部は接地されている構成が挙げられる。この場合には、本体部材（内枠１２）の接続部（接触部）は、扉部材（前面枠セット１４）が当該内枠１２に対して閉状態となると、少なくとも一つの板金４４０ａ〜４４０ｄに接触して電気的に接続され、この接続部は接地されているので、扉部材（前面枠セット１４）の全体にわたって接地させることができる。
【０２２１】
（８）上述した実施例の装飾部材４１４を、発光部４２０により照らされ金属製又は金属メッキを施したものとし、補強部材（板金４４０ａ〜４４０ｄ）はこの装飾部材４１４に電気的に接続されているという構成を採用した場合には、以下の効果がある。
【０２２２】
つまり、金属製又は金属メッキを施した装飾部材４１４に電荷が溜まることがあり、この電荷がノイズなどを発生させる要因となり、扉部材（前面枠セット１４）に取り付けられる電気部品（例えば、装飾部材４１４を照らすランプ基板４２４など）、ひいては、遊技内容を制御する制御基板に対し、悪影響をもたらすことになるという問題に対して、補強部材は装飾部材４１４に電気的に接続されているので、扉部材（前面枠セット１４）内の補強部材つまり前面側部材（前面枠体４１０）と裏面側部材（裏面枠体４３０）とに挟まれた補強部材（板金４４０ａ〜４４０ｄ）によって、装飾部材４１４が接地されることになり、装飾部材４１４に電荷が溜まることがない。その結果、扉部材（前面枠セット１４）に取り付けられる各種電気部品（例えば、装飾部材４１４を照らすランプ基板４２４など）や遊技内容を制御する制御基板に対して悪影響をもたらすことがなく、装飾部材４１４がノイズなどの電気的不具合を生じさせることがない。
【０２２３】
（９）上述した実施例では、内枠１２は、図２３に示すように、当該内枠１２の正面視でその外端箇所に、前面枠セット１４の閉状態において当該前面枠セット１４の外周部の少なくとも内枠１２に近い側が近接する外壁部４７０を備えているが、この外壁部４７０を、当該内枠１２の正面視でその外端箇所に、前面枠セット１４の閉状態において当該前面枠セット１４の外周部の少なくとも内枠１２に近い側が内接するものとしてもよい。
【０２２４】
（１０）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０２２５】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０２２６】
以上のように、この発明は、パチンコ機やスロットマシン等の遊技機に適している。
【符号の説明】
【０２２７】
１２  …内枠（本体部材）
１４  …前面枠セット（扉部材）
１０１  …窓部（視認窓）
１３７  …ガラス板（透明部材）
４３１  …視認用開口部
４３３  …窪み部
４８２  …ガラスフレーム（フレーム）
４８４  …内装用開口部
【図１】
0005459299.tif 000002
【図２】
0005459299.tif 000003
【図３】
0005459299.tif 000004
【図４】
0005459299.tif 000005
【図５】
0005459299.tif 000006
【図６】
0005459299.tif 000007
【図７】
0005459299.tif 000008
【図８】
0005459299.tif 000009
【図９】
0005459299.tif 000010
【図１０】
0005459299.tif 000011
【図１１】
0005459299.tif 000012
【図１２】
0005459299.tif 000013
【図１３】
0005459299.tif 000014
【図１４】
0005459299.tif 000015
【図１５】
0005459299.tif 000016
【図１６】
0005459299.tif 000017
【図１７】
0005459299.tif 000018
【図１８】
0005459299.tif 000019
【図１９】
0005459299.tif 000020
【図２０】
0005459299.tif 000021
【図２１】
0005459299.tif 000022
【図２２】
0005459299.tif 000023
【図２３】
0005459299.tif 000024
【図２４】
0005459299.tif 000025
【図２５】
0005459299.tif 000026
【図２６】
0005459299.tif 000027
【図２７】
0005459299.tif 000028
【図２８】
0005459299.tif 000029
【図２９】
0005459299.tif 000030
【図３０】
0005459299.tif 000031